(57)【要約】【課題】    活性汚泥法など一般的な排水処理方法を採用しない簡易的な排水処理方法及び排水処理装置を提供すること。【解決手段】    外径８ｍｍ以下１ｍｍ以上の球形状の微生物固定化ゲル担体が充填された籠を水面部で回転させることを特徴とする排水処理方法と排水処理装置により上記課題を解決する。【選択図】    図１
2007245046.tif 000002
【特許請求の範囲】
【請求項１】
外径８ｍｍ以下１ｍｍ以上の球形状の微生物固定化ゲル担体が充填された籠を水面部で回転させることを特徴とする排水処理方法。
【請求項２】
該微生物固定化ゲル担体がポリビニルアルコール系含水ゲルである請求項１記載の排水処理方法。
【請求項３】
該微生物固定化ゲル担体の充填率が５０〜９０容量％である請求項１又は２記載の排水処理方法。
【請求項４】
外径８ｍｍ以下１ｍｍ以上の球形状の微生物固定化ゲル担体を充填するための回転可能な籠を備えることを特徴とする排水処理装置。
【発明の詳細な説明】
【技術分野】
【０００１】
本発明は排水処理方法及び排水処理装置に関する。さらに詳しくは、外径８ｍｍ以下１ｍｍ以上の球形状の微生物固定化ゲル担体を充填した籠を水面部で回転させる排水処理方法及び排水処理装置に関する。
【背景技術】
【０００２】
近年、池や湖沼において冨栄養化による水質の悪化が進み、アオコの発生、異臭など環境、衛生上の問題を引き起こしている。それを解決するため種々の水の浄化方法が試みられており、一部は実施に移されているが、建設費やランニングコストが大きいため改善が進んでいない。とくに大きな湖沼ではＢＯＤ負荷が小さいにも関わらず水量が多いため従来技術では対応が困難であるのが実情である。また、都市部における池や堀について見ても、排水処理設備の設置場所が美観上の制約により限られるという状況にもある。      
【０００３】
このような状況下における水の浄化方法として、担体を充填した籠を水面部で回転させる方法は実用性が高いものと想定されるが、いまだ実用化に至っていない。この大きな理由は、処理能力の向上が技術的に実現できなかったことにある。すなわち、活性汚泥設備を用いたＢＯＤ処理能力は、処理水中の汚泥の濃度に左右され、汚泥濃度を上げるために担体が使用されている。しかしながら、担体を籠に充填して籠を水面部で回転させても、担体表面に付着する汚泥が籠の回転に伴って剥離、脱落するため、汚泥濃度を上げることができなかった。
【発明の開示】
【発明が解決しようとする課題】
【０００４】
本発明が解決しようとする課題は、汚泥が剥離、脱離することなく処理能力を維持することのできる排水処理方法及び排水処理装置を提供することにある。
【課題を解決するための手段】
【０００５】
本発明者は鋭意検討した結果、微生物固定化ゲル担体を籠に充填して排水処理を行えば、上記課題を達成することができることを見出し本発明に到達した。すなわち、本発明は、外径８ｍｍ以下１ｍｍ以上の球形状の微生物固定化ゲル担体を充填した籠を水面部で回転させることを特徴とする排水処理方法である。そして、本発明ももう一つの発明は、外径８ｍｍ以下１ｍｍ以上の球形状の微生物固定化ゲル担体を充填するための回転可能な籠を備えることを特徴とする排水処理装置である。      
【発明の効果】
【０００６】
本発明により、外径８ｍｍ以下１ｍｍ以上の球形状の微生物固定化ゲル担体を充填した籠を水面部で回転させる排水処理方法を提供することができる。このような排水処理方法によれば、活性汚泥法など一般的な排水処理方法を採用することなく、小さな設備投資、かつ小さなランニングコストで排水負荷を軽減することができる。
【発明を実施するための最良の形態】
【０００７】
本発明の排水処理方法においては、球状の微生物固定化ゲル担体（以下、単にゲル担体と略称する）を用いる必要がある。一般的にゲル担体の形状は製造方法からサイコロ型（角型）になる場合が多いが、形状が角型の場合はゲル担体の回転が悪くなり、処理水の循環が悪くなるので充填率を上げることができない。したがって、処理水の循環を良好にするためにはゲル担体の形状は球形状とする必要がある。
【０００８】
すなわち、本発明の特徴は、球形状のゲル担体を用いることにあり、かかるゲル担体を籠に充填して水面部で回転させることによって水の浄化を図ることにある。本発明において球形状とは厳密な球形状だけを意味するのではなく、球形に近いものも球形状に含まれる。
【０００９】
微生物を固定化するための担体としては、ポリビニルアルコール（ＰＶＡ）系、ポリエチレングリコール系、ポリアクリルアミド系の高分子含水ゲル、アルギン酸カルシウム、カラギーナン、寒天などの高分子ゲルなどを例示することができるが、菌を付着させた場合、ＢＯＤ除去能力の点で高分子含水ゲルが好ましい。なかでも、ＰＶＡ系含水ゲルは、担体表面および内部に網目構造を有しているため微生物が生息しやすく、かつ有機化合物の捕捉性に優れており、しかも機械的強度にも優れているので、好ましい。
【００１０】
ＰＶＡの平均重合度および／又はケン化度は高い方がＰＶＡの濃度を低下することができるので、ゲルの含水率を上げることができ、したがって、微生物の生息性がよくなり好ましい。かかる点から、ＰＶＡの平均重合度は１０００以上のものが好ましく、とくに１５００以上のものがさらに好ましい。また、ＰＶＡのケン化度は９５モル％以上のものが好ましく、とくに９８モル％以上のものがさらに好ましい。
【００１１】
ＰＶＡの溶出や劣化を防止するために、ＰＶＡをアセタ−ル化するのが望ましい。アセタ−ル化度は、あまり低いと耐水性が低くなり、またあまり高いと疎水化されて微生物の生息が悪くなるので、１０〜６０モル％が好ましく、２０〜５５モル％がさらに好ましい。ＰＶＡ系含水ゲルの具体例としては株式会社クラレ製の商品名クラゲールを挙げることができる。
【００１２】
籠が回転することによって、ゲル担体及び処理水が籠内を循環すると同時にゲル担体が空気中の酸素と接触し、ゲル担体中の微生物により水はＢＯＤ処理される。したがって、ゲル担体と空中酸素の接触面積を大きくする点からゲル担体は小さい方がよいが、あまり小さいと籠の開き目を小さくする必要があり、籠の目詰まりの発生が激しくなって処理水の循環が不充分となり結果として処理能力が低下するので、ゲル担体の大きさは外径８ｍｍ以下１ｍｍ以上とする必要がある。外径３ｍｍ〜５ｍｍのものが好ましい。      
【００１３】
水浄化能力アップのためには多量のゲル担体を籠に充填する方がよいが、あまり充填率を上げると処理水の循環が悪くなり、またあまり充填率を下げると処理能力が小さくなるので籠容積の７０〜９０容量％とするのが好ましい。
【００１４】
籠の材質はとくに限定されるものではないが、ゲル担体が抜け出さないよう、また処理水とよく接触するように例えば耐腐食性の金網で作製するのがよい。大きさは処理水の規模に応じて適宜決められる。籠の形状もとくに限定されないが、円筒状のものを作製するのが実用的である。円筒状の直径と長さの比率もとくに限定はなく、実際の処理水の規模に合わせて適宜決めればよい。
【００１５】
籠はモーター駆動により回転させればよいが、籠の位置と水面の関係は、籠の回転速度に依存するので一義的には設定できない。すなわち、籠の回転数を大きくすると籠の水面上部分は減少させることができるが、回転動力が大きくなり運転コスト面から得策ではない。一方、１ｒｐｍ以下程度の低速回転数で運転する場合は消費電力は小さくなり、籠の水面上の容積は５０％程度となり処理能力も高くなる。
【００１６】
以下、本発明の排水処理方法を図によって詳細に説明する。図１及び図２は本発明の排水処理方法を実施するための排水処理装置の概略図である。図１は、回転可能な籠部分の平面図であり、１は籠、２はフレーム、３はゲル担体である。４は籠を回転させるための動力を与える駆動機であり、５は駆動側タイミングベルトプーリー、６は被駆動側タイミングベルトプーリー、７はベルト、８は籠の回転軸である。
【００１７】
駆動機としては通常のモーターを使用すればよいが、太陽電池をモーターの動力源とすると省エネを図ることができる。また、籠は浮子で水面に浮かせて使用することも可能であり、浮子の浮力を調節することによって籠の水面上部分を調整することが可能である。９〜１２はこのような浮子であり、１３、１４は係留ロープである。図２は図１の正面図であり、籠の水面上の容積が５０％程度である状態を示す。なお、駆動機のカバー、電源線など通常必要に応じて設置される付属装置は図示省略している。
【００１８】
実施例１
直径０．８ｍ、長さ０．５ｍの円筒状金網で籠を作製し、外径４ｍｍのＰＶＡゲル担体（株式会社クラレ製商品名クラゲール）を８０容量％の充填率で充填した。図に示すような排水処理装置を構成し、籠を１ｒｐｍで回転させてＢＯＤ１００ｍｇ／Ｌ以下の排水を３ケ月連続処理したところ、ＢＯＤ処理能力は約０．１ｋｇ／日以上であることが確認された。
【産業上の利用可能性】
【００１９】
本発明によれば、外径８ｍｍ以下１ｍｍ以上の球形状の微生物固定化ゲル担体を充填した籠を水面部で回転させる排水処理方法を提供することができ、このような排水処理方法によれば、活性汚泥法など一般的な排水処理方法を採用することなく、小さな設備投資、かつ小さなランニングコストで排水負荷を軽減することができるので産業上の有用性が大きい。    
【図面の簡単な説明】
【００２０】
【図１】本発明の排水処理方法を実施するための装置の一例（平面図）である。
【図２】図１の正面図である。
【符号の説明】
【００２１】
１  籠
２  フレーム
３  ゲル担体
４  駆動機
５  駆動側タイミングベルトプーリー
６  被駆動側タイミングベルトプーリー
７  ベルト
８  回転軸
９  浮子
１０  浮子
１１  浮子
１２  浮子
１３  係留ロープ
１４  係留ロープ
【図１】
2007245046.tif 000003
【図２】
2007245046.tif 000004